(57)【要約】【課題】ＬＥＤランプを好適に点灯させる。【解決手段】判断部７１は、電力供給部４０が電力可変モードであるときに検出部６０により検出された検出結果と、電力供給部４０が定電力モードであるときに検出部６０により検出された検出結果とを用いて、入力部１０に接続されている安定器の種類を判断する。制御部７２は、判断部７１の判断結果に応じてＬＥＤ５０を点灯させる制御を行う。【選択図】図１
2019145411.tif 000002
【特許請求の範囲】
【請求項１】
供給された電力を用いて点灯するＬＥＤと、
電圧が入力される入力部と、
前記入力部の電圧を検出する検出部と、
前記入力部の電圧に応じて前記ＬＥＤに供給する電力の大きさを変化させる電力可変モード、及び、前記入力部の電圧に応じて前記ＬＥＤに供給する電力の大きさを変化させない定電力モードの少なくとも一方に切り替えることができる電力供給部と、
前記入力部から見たリアクタンス成分が第１の値である第１インピーダンスモード、及び、前記入力部から見たリアクタンス成分が前記第１の値とは異なる第２の値である第２インピーダンスモードの少なくとも一方に切り替えることができるインピーダンス調整部と、
前記検出部で検出された電圧に基づいて前記入力部に第１グループの安定器が接続されているか否かを判断する第１判断部と、
前記第１判断部により前記第１グループの安定器が接続されていると判断されないとき、前記電力供給部が前記電力可変モードであるときに前記検出部により検出された検出結果と、前記電力供給部が前記定電力モードであるときに前記検出部により検出された検出結果とを用いて前記入力部に第２グループの安定器が接続されているか否かを判断する第２判断部と、
前記第２判断部により前記第２グループの安定器が接続されていると判断されないとき、前記インピーダンス調整部が前記第１インピーダンスモードであるときに前記検出部により検出された検出結果と、前記インピーダンス調整部が前記第２インピーダンスモードであるときに前記検出部により検出された検出結果とを用いて、前記入力部に第３グループの安定器が接続されているか否か又は前記安定器が接続されていないか否かを判断する第３判断部とを有する、ＬＥＤランプ。
【請求項２】
請求項１に記載されたＬＥＤランプであって、
前記第１判断部、前記第２判断部又は前記第３判断部の判断結果に応じて、前記ＬＥＤを点灯させる際に前記インピーダンス調整部を制御する制御部を備える、ＬＥＤランプ。
【請求項３】
請求項２に記載されたＬＥＤランプであって、
前記制御部は、前記第１判断部により前記入力部に前記第１グループの安定器が接続されていると判断された場合、前記第２判断部により前記入力部に前記第２グループの安定器が接続されていると判断された場合よりも、前記インピーダンス調整部のリアクタンス成分が大きくなるように前記インピーダンス調整部を制御する、ＬＥＤランプ。
【請求項４】
請求項１〜３のいずれか一項に記載されたＬＥＤランプであって、
前記インピーダンス調整部は、高電位の入力端子である第１端子と、低電位の入力端子である第２端子と、高電位の出力端子である第３端子と、低電位の出力端子である第４端子とを有し、前記第１インピーダンスモードであるとき、前記第２インピーダンスモードであるときと比較して、前記第１端子−前記第３端子間、又は、前記第２端子−前記第４端子間のリアクタンス成分が大きくなる、ＬＥＤランプ。
【請求項５】
請求項４に記載されたＬＥＤランプであって、
前記第２インピーダンスモードから前記第１インピーダンスモードに変化するとき、前記インピーダンス調整部の前記第１端子−前記第３端子間にはコイル要素が追加される、ＬＥＤランプ。
【請求項６】
供給された電力を用いて点灯するＬＥＤと、
電圧が入力される入力部と、
前記入力部の電圧を検出する検出部と、
前記入力部の電圧に応じて前記ＬＥＤに供給する電力の大きさを変化させる電力可変モード、及び、前記入力部の電圧に応じて前記ＬＥＤに供給する電力の大きさを変化させない定電力モードの少なくとも一方に切り替えることができる電力供給部と、
前記電力供給部が前記電力可変モードであるときに前記検出部により検出された検出結果と、前記電力供給部が前記定電力モードであるときに前記検出部により検出された検出結果とを用いて、前記入力部に接続されている安定器の種類を判断する判断部と、
前記判断部の判断結果に応じて前記ＬＥＤを点灯させる制御を行う制御部とを備える、ＬＥＤランプ。
【請求項７】
請求項６に記載されたＬＥＤランプであって、
前記電力供給部が前記電力可変モードであるときに前記検出部により検出された電圧と、前記電力供給部が前記定電力モードであるときに前記検出部により検出された電圧との差が所定の閾値以上であるとき、前記制御部は前記電力供給部を前記電力可変モードに切り替えて前記ＬＥＤを点灯させる、ＬＥＤランプ。
【請求項８】
供給された電力を用いて点灯するＬＥＤと、
電圧が入力される入力部と、
前記入力部の電圧を検出する検出部と、
前記入力部の電圧を用いて前記ＬＥＤに電力を供給する電力供給部と、
前記入力部から見たリアクタンス成分が第１の値である第１モード、及び、前記入力部から見たリアクタンス成分が前記第１の値とは異なる第２の値である第２モードの少なくとも一方に切り替えることができるリアクタンス調整部と、
前記リアクタンス調整部が前記第１モードであるときに前記検出部により検出された検出結果と、前記リアクタンス調整部が前記第２モードであるときに前記検出部により検出された検出結果とを用いて、前記入力部に接続されている安定器の種類又は安定器が接続されているか否かを判断する判断部と、
前記判断部の判断結果に応じて前記ＬＥＤを点灯させる制御を行う制御部とを備える、ＬＥＤランプ。
【請求項９】
請求項６〜８のいずれか一項に記載されたＬＥＤランプであって、
前記判断部は、前記入力部に入力される電圧の波形が矩形であるか否かに応じて、前記入力部に接続されている安定器の種類を判断する、ＬＥＤランプ。
【請求項１０】
請求項１〜９のいずれか一項に記載されたＬＥＤランプを備える照明装置。
【発明の詳細な説明】
【技術分野】
【０００１】
本発明は、ＬＥＤランプ、及び、照明装置に関する。
【背景技術】
【０００２】
例えば特許文献１は、高輝度放電（ＨＩＤ：High IntensityDischarge）ランプ装置を開示する。ＨＩＤランプ装置は、ＨＩＤランプと、ＨＩＤランプを点灯させるための安定器とを備えている。このＨＩＤランプ装置に備えられている安定器は、設置されているＨＩＤランプに対応して設計されており、電子式安定器、磁気式安定器等の複数の種類がある。磁気式安定器としては、例えば、最も単純な回路構成を有する低力率形の安定器、低力率形の安定器にコンデンサを付加することにより力率を改善させた高力率タイプの安定器、定電力形、直列２灯形安定器等の複数の種類がある。
【先行技術文献】
【特許文献】
【０００３】
【特許文献１】特開平４−２３３１９８号公報
【発明の概要】
【発明が解決しようとする課題】
【０００４】
本発明は、ＬＥＤランプを好適に点灯させることが可能なＬＥＤランプ、及び、照明装置を提供する。
【課題を解決するための手段】
【０００５】
本発明の第１態様は、供給された電力を用いて点灯するＬＥＤと、電圧が入力される入力部と、入力部の電圧を検出する検出部と、入力部の電圧に応じてＬＥＤに供給する電力の大きさを変化させる電力可変モード、及び、入力部の電圧に応じてＬＥＤに供給する電力の大きさを変化させない定電力モードの少なくとも一方に切り替えることができる電力供給部と、入力部から見たリアクタンス成分が第１の値である第１インピーダンスモード、及び、入力部から見たリアクタンス成分が第１の値とは異なる第２の値である第２インピーダンスモードの少なくとも一方に切り替えることができるインピーダンス調整部と、検出部で検出された電圧に基づいて入力部に第１グループの安定器が接続されているか否かを判断する第１判断部と、第１判断部により第１グループの安定器が接続されていると判断されないとき、電力供給部が電力可変モードであるときに検出部により検出された検出結果と、電力供給部が定電力モードであるときに検出部により検出された検出結果とを用いて入力部に第２グループの安定器が接続されているか否かを判断する第２判断部と、第２判断部により第２グループの安定器が接続されていると判断されないとき、インピーダンス調整部が第１インピーダンスモードであるときに検出部により検出された検出結果と、インピーダンス調整部が第２インピーダンスモードであるときに検出部により検出された検出結果とを用いて、入力部に第３グループの安定器が接続されているか否か又は安定器が接続されていないか否かを判断する第３判断部とを有する、ＬＥＤランプとして構成した。
【０００６】
本発明の第２態様は、供給された電力を用いて点灯するＬＥＤと、電圧が入力される入力部と、入力部の電圧を検出する検出部と、入力部の電圧に応じてＬＥＤに供給する電力の大きさを変化させる電力可変モード、及び、入力部の電圧に応じてＬＥＤに供給する電力の大きさを変化させない定電力モードの少なくとも一方に切り替えることができる電力供給部と、電力供給部が電力可変モードであるときに検出部により検出された検出結果と、電力供給部が定電力モードであるときに検出部により検出された検出結果とを用いて、入力部に接続されている安定器の種類を判断する判断部と、判断部の判断結果に応じてＬＥＤを点灯させる制御を行う制御部とを備える、ＬＥＤランプとして構成した。
【０００７】
本発明の第３態様は、供給された電力を用いて点灯するＬＥＤと、電圧が入力される入力部と、入力部の電圧を検出する検出部と、入力部の電圧を用いてＬＥＤに電力を供給する電力供給部と、入力部から見たリアクタンス成分が第１の値である第１モード、及び、入力部から見たリアクタンス成分が第１の値とは異なる第２の値である第２モードの少なくとも一方に切り替えることができるリアクタンス調整部と、リアクタンス調整部が第１モードであるときに検出部により検出された検出結果と、リアクタンス調整部が第２モードであるときに検出部により検出された検出結果とを用いて、入力部に接続されている安定器の種類又は安定器が接続されているか否かを判断する判断部と、判断部の判断結果に応じてＬＥＤを点灯させる制御を行う制御部とを備える、ＬＥＤランプとして構成した。
【発明の効果】
【０００８】
本発明によれば、好適に点灯させることが可能なＬＥＤランプ、及び、照明装置を提供できる。
【図面の簡単な説明】
【０００９】
【図１】ＬＥＤランプを備える照明装置の概略構成を示す図である。
【図２】安定器の分類の例を示す図である。
【図３】安定器の分類の例を示す図である。
【図４】安定器の分類の例を示す図である。
【図５】安定器の分類の例を示す図である。
【図６】安定器の分類の例を示す図である。
【図７】インピーダンス調整部（リアクタンス調整部）の構成の例を示す図である。
【図８】スイッチング回路の構成の例を示す図である。
【図９】検出部によって検出される電圧の例を示す図である。
【図１０】検出部によって検出される電圧波形の例を示す図である。
【図１１】ＬＥＤランプにおいて実行される処理の例を示すフローチャートである。
【発明を実施するための形態】
【００１０】
図１は、第１実施形態に係るＬＥＤ（Light Emitting Diode）ランプ及び照明装置の概略構成を示す図である。照明装置１は、ＬＥＤランプ３を含む装置である。ＬＥＤランプ３の他に、安定器２も照明装置１の構成要素に含まれてよい。図１において、ＬＥＤランプ３内の各要素間の電力経路が実線（太線）で示され、各要素間の制御信号（又は通信信号）等の経路が破線で示される。図１では、一つの安定器２に対して一つのＬＥＤランプ３が接続された状態を図示している。しかしながら、後述するように、安定器２によっては、安定器２に対して２つのＬＥＤランプ３が直列接続されてもよいし、ＬＥＤランプ３は、安定器２を介さずに例えば商用電力網（電源）に直接接続されてもよい。そのため、図１では、安定器２とＬＥＤランプ３との電力経路の一部を破線で示している。
【００１１】
ＬＥＤランプ３は、端子４、５と、入力部１０と、インピーダンス調整部（リアクタンス調整部）２０と、電力供給部４０と、ＬＥＤ５０と、検出部６０と、ＣＰＵ（Central Processing Unit）７０とを含む。この他にも、種々の回路がＬＥＤランプ３に含まれてよい。図１に示される例では、ＬＥＤランプ３は、フィルタ回路３１、整流回路３２、及び、ＰＦＣ（Power Factor Correction）回路３３も含む。以下、断らない限り、フィルタ回路３１、整流回路３２、及び、ＰＦＣ回路３３を含んでＬＥＤランプ３の形態を説明する。
【００１２】
端子４、５は、電力が入力される一対の端子である。端子４、５に入力される電力は、安定器２を介して供給される電力（安定器２からの電力）であってよい。安定器２は、ＨＩＤランプに電力を供給可能な安定器である。例えば、図１には図示しない商用電力網からの電力が、安定器２を介して端子４、５に供給される。端子４、５に入力される電力は、安定器を介さず商用電力網等の電源から供給される電力であってもよい。
【００１３】
安定器２は、例えば、メタルハライドランプ、高圧ナトリウムランプ、水銀灯等のＨＩＤランプ（図示せず）を点灯させるために使用可能な安定器である。安定器２は、例えば道路や公園の照明、工場や倉庫などの高天井の大空間の照明、スタジアムやプール等の照明、広告や看板のライトアップに使用するために、ＨＩＤランプ（図示せず）と共に既に設置されていたものである。
【００１４】
本実施形態では、安定器２が既に設置されている場合は安定器２を撤去せず、ＨＩＤランプ（図示せず）をＬＥＤランプ３に置き換える場合と、安定器２を介さずにＬＥＤランプ３に電力を供給する場合とを含む態様について詳細に説明する。
【００１５】
図２に示すように、安定器２は、例えば、分類１〜９に分類できる。分類１〜９のそれぞれは、図２に示すＡ〜Ｄのグループにグループ化できる。図２に示した分類１〜９の安定器２を図３〜図６を利用して説明する。図３〜図６では、分類１〜９の安定器２がＨＩＤランプ３００に接続されている。
【００１６】
分類１は、低力率の一般形安定器である。低力率の一般形安定器は、例えば、インバータ回路を内蔵していない磁気式の安定器である。例えば、低力率の一般形安定器は、図３の（ａ）に示す安定器２ａのように、トランス（変圧器）Ｔ１１１を備え、商用電力網６から供給された電力が、トランスＴ１１１を介してＨＩＤランプ３００に供給される。低力率の一般形安定器は最も簡単な安定器であり、小型、軽量化、低コスト化を図ることができ、力率は、例えば、６５％程度である。
【００１７】
分類２は、高力率の一般形安定器である。高力率の一般形安定器は、例えば、インバータ回路を内蔵していない磁気式の安定器である。例えば、高力率の一般形安定器は、図３の（ｂ）に示す安定器２ｂのように、トランスＴ１１１と、コンデンサＣ１１１とを備える。図３の（ｂ）に示した安定器２ｂでは、安定器２ａの場合と同様に、商用電力網６から供給された電力が、トランスＴ１１１を介してＨＩＤランプ３００に供給される。コンデンサＣ１１１は、トランスＴ１１１の一次側において商用電力網６（電源）と並列に付加されている。そのため、高力率の一般形安定器では、力率が改善（例えば、９０％程度）される。
【００１８】
分類３は、低始動電流形安定器である。低始動電流形安定器は、例えば、インバータ回路を内蔵していない磁気式の安定器である。例えば、低始動電流形安定器は、図４の（ａ）に示す安定器２ｃのように、抵抗器Ｒ１１１と、コンデンサＣ１１２と、チョークコイルＬ１１１と、を備える。商用電力網６から供給された電力が、チョークコイルＬ１１１を介してＨＩＤランプ３００に供給される。抵抗器Ｒ１１１及びコンデンサＣ１１２の並列回路が、商用電力網６と並列に付加されている。コンデンサＣ１１２の容量を大きくすることで、コンデンサ進相電流を大きくできる。そのため、低始動電流形安定器では、低力率の一般形安定器と比較して、電源投入直後に流れる電流が小さくなる。
【００１９】
分類４は、調光機能がない（調光無しの）定電力形安定器である。調光無しの定電力形安定器は、例えば、インバータ回路を内蔵していない磁気式の安定器である。例えば、調光無しの定電力形安定器は、図４の（ｂ）に示す安定器２ｄのように、トランスＴ１１２と、抵抗器Ｒ１１２と、コンデンサＣ１１３とを備える。商用電力網６から供給された電力が、トランスＴ１１２を介してＨＩＤランプ３００に供給される。トランスＴ１１２は、例えばリーケージトランスとして、商用電力網６と並列に設けられる。抵抗器Ｒ１１２及びコンデンサＣ１１３の並列回路が、トランスＴ１１２の２次側においてトランスＴ１１２とＨＩＤランプ３００との間に直列に接続され、ＬＣ共振回路が構成される。そのため、調光無しの定電力形安定器では、低力率の一般形安定器と比較して、商用電力網６の電圧（電源電圧）の変動に対するＨＩＤランプ３００の消費電力（ランプ電力）の変化が小さくなる。
【００２０】
分類５は、直列２灯形安定器である。直列２灯形安定器は、例えば、インバータ回路を内蔵していない磁気式の安定器である。例えば、直列２灯形安定器に対しては、図５の（ａ）に示したように、２つのＨＩＤランプ３００、３００のうちの一方のＨＩＤランプ３００の端子３０４と、他方のＨＩＤランプ３００の端子３０５とが電気的に接続される。すなわち、２つのＨＩＤランプ３００が直列接続される。例えば、直列２灯安定器は、図５の（ａ）に示す安定器２ｅのように、トランス（単相漏れ変圧器）Ｔ１１３と、抵抗器Ｒ１１３と、コンデンサＣ１１４と、コンデンサＣ１１５とを備える。商用電力網６から供給された電力が、トランスＴ１１３を介して２つのＨＩＤランプ３００、３００に供給される。抵抗器Ｒ１１３及びコンデンサＣ１１４の並列回路と、コンデンサＣ１１５とがトランスＴ１１３の２次側に設けられる。コンデンサＣ１１５は始動用コンデンサである。コンデンサＣ１１５は、直列に接続された２つのＨＩＤランプ３００、３００のうち端子３０４が抵抗器Ｒ１１３及びコンデンサＣ１１４の並列回路に接続されるＨＩＤランプ３００に並列に接続される。このようにして、直列２灯形安定器では、１つの安定器で２つのＨＩＤランプ３００、３００を点灯することができる。
【００２１】
分類６は、調光有りの高力率一般形安定器である。調光有りの高力率一般形安定器は、例えば、インバータ回路を内蔵していない磁気式の安定器である。例えば、調光有りの高力率一般形安定器は、図５の（ｂ）に示す安定器２ｆのように、抵抗器Ｒ１１４と、コンデンサＣ１１６と、リレーＲＬ１１１と、切替器Ｍ１１１と、チョークコイルＬ１１２とを備える。商用電力網６から供給された電力が、チョークコイルＬ１１２を介してＨＩＤランプ３００に供給される。抵抗器Ｒ１１４及びコンデンサＣ１１６の並列回路が、商用電力網６と並列に付加されている。リレーＲＬ１１１は、チョークコイルＬ１１２における商用電力網６との接続点を切り替えるように設けられる。リレーＲＬ１１１の切り替えは、切替器Ｍ１１１によって制御される。調光有りの高力率一般形安定器では、例えば、リレーＲＬ１１１の切り替えによりインピーダンスを変化させることにより調光を実現できる。
【００２２】
分類７は、調光有りの定電力形安定器である。調光有りの定電力形安定器は、例えば、インバータ回路を内蔵していない磁気式の安定器である。例えば、調光有りの定電力形安定器は、図６の（ａ）に示す安定器２ｇのように、チョークコイルＬ１１３と、チョークコイルＬ１１４と、リレーＲＬ１１２と、切替器Ｍ１１２と、抵抗器Ｒ１１５と、抵抗器Ｒ１１６と、コンデンサＣ１１７と、コンデンサＣ１１８とを備える。商用電力網６から供給された電力が、チョークコイルＬ１１３及びチョークコイルＬ１１４を介して、ＨＩＤランプ３００に供給される。抵抗器Ｒ１１５及びコンデンサＣ１１７の並列回路、又は、抵抗器Ｒ１１６及びコンデンサＣ１１８の並列回路が、チョークコイルＬ１１４とＨＩＤランプ３００との間に直列に接続される。リレーＲＬ１１２は、抵抗器Ｒ１１５及びコンデンサＣ１１７の並列回路、並びに、抵抗器Ｒ１１６及びコンデンサＣ１１８の並列回路のいずれの並列回路がＨＩＤランプ３００に直列接続されるのかを切り替えるように設けられる。リレーＲＬ１１２の切り替えは、切替器Ｍ１１２によって制御される。これにより、調光有りの定電力形安定器では、定電力制御と、調光制御とを実現できる。
【００２３】
分類８は、調光無しの電子式安定器である。調光無しの電子式安定器は、例えば、インバータ回路を内蔵する安定器である。例えば、調光無しの電子式安定器は、図６の（ｂ）に示す安定器２ｈのように、ノイズフィルタ保護素子Ｆ１１１と、高力率全波整流昇圧チョッパＣＨＰ１１１と、平滑コンデンサＳＣ１１１と、高周波を生成して力率改善を行うフルブリッジインバータＩＮＶ１１１と、始動に必要な高圧パルスの発振回路（イグナイタ）ＩＧＮ１１１とを備える。商用電力網６から供給された電力が、それらの要素を介して、ＨＩＤランプ３００に供給される。高力率全波整流昇圧チョッパＣＨＰ１１１、平滑コンデンサＳＣ１１１及びフルブリッジインバータＩＮＶ１１１は、アクティブ平滑フィルタとして機能し得る。電圧検出部ＶＤ１１１はランプ電圧を検知するように設けられる。電圧検出部ＶＤ１１１の検知結果は、高力率全波整流昇圧チョッパＣＨＰ１１１、フルブリッジインバータＩＮＶ１１１及びイグナイタＩＮＧ１１１にフィードバックされる。
【００２４】
分類９は、調光有りの電子式安定器である。調光有りの電子式安定器は、例えば、先に説明した図６の（ｂ）に示す安定器２ｈのように発振回路（イグナイタ）ＩＧＮ１１１、フルブリッジインバータＩＮＶ１１１等を備えている。
【００２５】
なお、ＬＥＤランプは、安定器を介さないで商用電力網等の電源からの電力を供給可能である。このようなＡＣ直結のＬＥＤランプも、本実施形態に係るＬＥＤランプ３に含まれてよい。
【００２６】
図２に示すように分類１，２，３，６はＡグループにグループ化され、分類４，７はＢグループにグループ化され、分類５はＣグループにグループ化され、分類８，９はＤグループにグループ化される。
【００２７】
再び図１に戻り、入力部１０は、端子４、５の後段（電力経路におけるＬＥＤ５０側の位置、以下同様）に設けられ、端子４、５を介して安定器２から又は商用電力網（例えば図３等に示す商用電力網６）等の電源から電圧（電力）が入力される。図１に示される例では、入力部１０は、保護回路１１を含む。保護回路１１は、過電力入力時等にＬＥＤランプ３を保護するための回路である。保護回路１１は、例えば、図示しない過電流用ヒューズ、過電圧用バリスタ、及び、パルス吸収用コンデンサ等を含む。安定器２からの電力の少なくとも一部は、保護回路１１を通った後、インピーダンス調整部２０、フィルタ回路３１、整流回路３２、ＰＦＣ回路３３、及び、電力供給部４０を介して、ＬＥＤ５０に供給される。図１において、インピーダンス調整部２０の入力端（入力部１０との接続点）を、ノード１２、１３（第１端子、第２端子）と称し、インピーダンス調整部２０の出力端（フィルタ回路３１との接続点）を、ノード２２、２３（第３端子、第４端子）と称する。後述するように、ノード１２、１３における電圧は、検出部６０によって検出される。
【００２８】
図７を参照して、インピーダンス調整部２０の構成の例を説明する。図７に例示されるインピーダンス調整部２０は、コイル（コイル要素）Ｌ２０と、リレー２０３〜２０６とを含む。インピーダンス調整部２０のリアクタンス成分は、コイルＬ２０を利用して生成される。本実施形態において、コイルＬ２０は、図７に示したようにコイルＬ２１と、コイルＬ２２と、コイルＬ２３とを有する。例えば、コイルＬ２１のインダクタンス成分は１００ｍＨに設計されてよい。コイルＬ２１とＬ２２との直列回路のインダクタンス成分は１５０ｍＨに設計されてよい。コイルＬ２０（コイルＬ２１とコイルＬ２２とコイルＬ２３との直列回路）のインダクタンス成分は２５０ｍＨに設計されてよい。
【００２９】
コイルＬ２１は、コイル端ＴＨ１とコイル端ＴＨ２との間に備えられ、コイルＬ２２は、コイル端ＴＨ２とコイル端ＴＨ３との間に備えられ、コイルＬ２３は、コイル端ＴＨ３とコイル端ＴＨ４との間に備えられる。コイル端ＴＨ１はノード１２に接続され、コイル端ＴＨ２はリレー２０３を介してノード２２に接続され、コイル端ＴＨ３はリレー２０５を介してノード１３、２３に接続され、コイル端ＴＨ４はリレー２０６を介してノード１３、２３に接続されている。リレー２０４は、ノード１２とノード２２との間に接続されている。ノード１３とノード２３とは接続されている。
【００３０】
図７に示したリレー２０３〜２０６は、例えば制御部７２（後述）から送られる制御信号により開閉する。制御部７２は、リレー２０３〜２０６を開閉（ＯＮ／ＯＦＦ）することにより、入力部１０から見たインピーダンス調整部２０のインピーダンスやリアクタンス成分を調整することができる。
【００３１】
入力部１０から見たインピーダンスやリアクタンス成分とは、例えば、インピーダンス調整部２０の前段及び後段の回路要素を切断せずに測定したインピーダンスやリアクタンス成分であってもよいし、インピーダンス調整部２０の後段の回路要素を切断し、切断部分に所定のインピーダンス成分（抵抗成分等）を接続して測定したインピーダンスやリアクタンス成分であってもよいし、インピーダンス調整部２０の前段及び後段の回路要素を切断し、インピーダンス調整部２０の後段に所定のインピーダンス成分（抵抗成分等）を接続して測定したインピーダンスやリアクタンス成分であってもよい。
【００３２】
本実施形態において、制御部７２は、リレー２０３〜２０６を開閉することによりインピーダンス調整部２０のインピーダンスを、第１インピーダンスモード、第２インピーダンスモード、及び、第３インピーダンスモードの少なくとも一つのモードに切り替え、ノード１２、１３からインピーダンス調整部２０を見たリアクタンス成分を調整する。以下、第１〜第３インピーダンスモードについて詳細に説明する。
【００３３】
［第１インピーダンスモード］
第１インピーダンスモードでは、入力部１０からインピーダンス調整部２０を見たインピーダンスが第１の値となる。第１インピーダンスモードでは、ノード１２−ノード２２間にコイルＬ２１が直列に接続され、ノード１３−ノード２３間にコイルＬ２１〜コイルＬ２３が接続されていない。第１インピーダンスモードは、リレー２０３を閉状態、他のリレー２０４〜２０６を開状態とすることで実現できる。第１インピーダンスモードの回路構成及び第１の値は、例示であり、コイルＬ２１〜コイルＬ２３以外の回路要素を用いて第１インピーダンスモードの回路構成及び第１の値を任意に実現できることは言うまでもない。
【００３４】
第１インピーダンスモードでは、ノード１２−ノード２２間のリアクタンス成分の大きさと、ノード１３−ノード２３間のリアクタンス成分の大きさとが大きく異なる（ノード１２−ノード２２間のリアクタンス成分の大きさと、ノード１３−ノード２３間のリアクタンス成分の大きさとのバランスが崩れる）ため、例えば、接続されている安定器の種類又は安定器が接続されているか否かの判断に利用することができる（後述するステップＳ８参照）。
【００３５】
［第２インピーダンスモード］
第２インピーダンスモードでは、入力部１０からインピーダンス調整部２０を見たインピーダンスが第２の値となる。第２の値は、第１の値とは異なる。第２インピーダンスモードでは、ノード１２−ノード２２間、及び、ノード１３−ノード２３間にコイルＬ２１〜コイルＬ２３が接続されていない。第２インピーダンスモードは、リレー２０４を閉状態、他のリレー２０３、２０５、２０６を開状態とすることで実現できる。第２インピーダンスモードの回路構成及び第２の値は、例示であり、コイルＬ２１〜コイルＬ２３以外の回路要素を用いて第２インピーダンスモードの回路構成及び第２の値を任意に実現できることは言うまでもない。
【００３６】
第２インピーダンスモードは、例えば、インピーダンス調整部２０の前段及び後段の回路要素を切断した状態において、第１インピーダンスモード及び第３インピーダンスモードよりも入力部１０から見たインピーダンスやリアクタンス成分が、以下の構成の相違により異なる。本実施形態の第２インピーダンスモードでは、ノード１２−ノード２２間、及び、ノード１３−ノード２３間にリアクタンス成分（コイルＬ２１〜コイルＬ２３）が接続されておらず、ノード１２−ノード２２間、及び、ノード１３−ノード２３間がそのようなリアクタンス成分を介さずに直結されている。このため、入力部１０からインピーダンス調整部２０を見たとき、インピーダンス調整部２０内にリアクタンス成分が存在しないように見える。
【００３７】
第２インピーダンスモードは、ノード１２、１３、２２、２３にコイルＬ２１〜コイルＬ２３が接続されていないので、ノード１２−ノード２２間のリアクタンス成分の大きさと、ノード１３−ノード２３間のリアクタンス成分の大きさとが等しくなるので、例えば、接続されている安定器の種類の判断又は安定器が接続されているか否かに利用することができる（後述するステップＳ８参照）。
【００３８】
［第３インピーダンスモード］
第３インピーダンスモードでは、入力部１０からインピーダンス調整部２０を見たインピーダンスが第３の値となる。第３の値は、第１の値及び第２の値と異なる。第３インピーダンスモードでは、ノード１２とノード２２とが接続され、ノード１２−ノード１３間にコイルＬ２１、Ｌ２２が接続されている。すなわち、リアクタンス成分（Ｌ２１、Ｌ２２）が電源（安定器がある場合には安定器２）に並列に接続されている。第３インピーダンスモードは、リレー２０４及びリレー２０５を閉状態とし、他のリレー２０３及びリレー２０６を開状態とすることで実現できる。
【００３９】
第３インピーダンスモードは、例えば、インピーダンス調整部２０の前段及び後段の回路要素を切断した状態において、入力部１０からインピーダンス調整部２０を見た第３の値のインピーダンス及びリアクタンス成分は、第１の値のインピーダンス及びリアクタンス成分、及び、第２の値のインピーダンス及びリアクタンス成分に対して、上述の構成の相違により異なる。第３インピーダンスモードの回路構成及び第３の値は、例示であり、コイルＬ２１〜コイルＬ２３以外の回路要素を用いて第３インピーダンスモードの回路構成及び第３の値を任意に実現できることは言うまでもない。
【００４０】
第３インピーダンスモードは、リアクタンス成分（Ｌ２１、Ｌ２２）が電源に並列に接続されているので、例えば、電子式安定器（分類８及び分類９）に適した制御に利用することができる（後述するステップＳ３参照）。
【００４１】
図１に戻り、フィルタ回路３１、整流回路３２及びＰＦＣ回路３３がこの順に、インピーダンス調整部２０の後段に設けられる。フィルタ回路３１を設けることで、ＬＥＤランプ３内で発生したノイズが入力部１０を介してＬＥＤランプ３の外部（例えば安定器２）へ出て行かないようにすることができる。ノイズの例は、フィルタ回路３１の後段に設けられる電力供給部４０（後述）内のスイッチング回路４１において生じ得るスイッチングノイズである。例えばＬＥＤランプ３が前述のＡＣ直結される場合（安定器を介さないで商用電力網等の電源からの電力が供給される場合）に、フィルタ回路３１が特に有効である。なお、フィルタ回路３１によって、入力部１０に入力された電力に含まれるノイズを除去することもできる。整流回路３２は、フィルタ回路３１を通過した電力を整流する。ＰＦＣ回路３３は、入力部１０から電力を高力率で取り出して電力供給部４０へ供給するとともに、昇圧も行う。昇圧後の電圧は、例えば４００Ｖ程度である。これらの回路には公知の構成を採用することができるので、ここでは詳細な説明は省略する。
【００４２】
電力供給部４０は、ＰＦＣ回路３３の後段に設けられる。電力供給部４０は、ＬＥＤ５０が点灯に用いる電力を供給する。ＬＥＤ５０は電流駆動タイプの発光素子であるから、電力供給部４０は、ＬＥＤ５０に電流を供給する機能を備える。電力供給部４０は、安定器２から入力部１０へ入力された電力の少なくとも一部を用いて、ＬＥＤ５０に電流を供給する。電力供給部４０は、スイッチング回路４１と、ドライバ４２と、電流検出部４３とを含む。
【００４３】
スイッチング回路４１は、ＰＦＣ回路３３とＬＥＤ５０との間の電力経路上に設けられ、ＬＥＤ５０へ供給するのに適した電流を生成する。スイッチング動作には、例えばＰＷＭ（Pulse Width Modulation）方式が採用されてよい。ドライバ４２は、スイッチング回路４１に含まれるスイッチング素子（例えば後述の図８のトランジスタ４１６）を駆動する。電流検出部４３は、ＬＥＤ５０を流れる電流を検出する。電流検出部４３の検出結果は、スイッチング動作にフィードバックされてよい。
【００４４】
電力供給部４０は、電力可変モード及び定電力モードの少なくとも一方のモードに切り替えることができる。モードの切り替えは、例えば制御部７２から電力供給部４０へ送られる制御信号に応じて行われる。以下、それぞれのモードについて説明する。説明の便宜上、定電力モード、電力可変モードの順に述べる。
【００４５】
［定電力モード］
定電力モードは、入力部１０の電圧（例えば実効値）の大きさに応じてＬＥＤ５０に供給する電力の大きさを変化させない。例えば、ＬＥＤ５０に供給される電力値が所定の目標値に近づくように、ＬＥＤ５０に供給する電力の大きさが制御される。定電力モードでは、入力部１０の電圧が、例えば商用電力網の電圧が各国や地域によって異なること或いは安定器の種類に起因して増減しても、電力供給部４０がＬＥＤ５０に供給する電力が一定に保たれる。例えば、ＬＥＤ５０を流れる電流が一定となるように、ドライバ４２が電流検出部４３の検出結果に基づいてスイッチング回路４１のスイッチング動作を制御する（フィードバック制御を行う）。定電力モードにおける上記入力部１０の電圧は、例えば検出部６０で検出された電圧であり得る。
【００４６】
［電力可変モード］
電力可変モードは、入力部１０の電圧の大きさに応じてＬＥＤ５０に供給する電力の大きさを変化させる。電力可変モードでは、入力部１０の電圧が増減すると、電力供給部４０がＬＥＤ５０に供給する電力も増減する。例えば、上述の定電力モードにおけるフィードバック制御とは異なる条件でのドライバ４２によるスイッチング回路４１のスイッチング動作を維持することで、入力部１０に入力される電圧の大きさに応じてＬＥＤ５０を流れる電流が増減する。電力可変モードにおける上記入力部１０の電圧は、例えば検出部６０で検出された電圧であり得る。
【００４７】
この他に、電力供給部４０は、ＬＥＤ５０の消費電力を増大させることもできる。ＬＥＤ５０の消費電力の増大は、例えば制御部７２から電力供給部４０へ送られる制御信号に応じて行われる。例えば、ＬＥＤ５０の電流制御に関するパラメータを変更することによって、ＬＥＤ５０を流れる電流が増大し、消費電力も増大する。パラメータの増減に応じて、例えばスイッチング回路４１のスイッチングのタイミングが調整されてよい。
【００４８】
ここで、図８を参照して、スイッチング回路４１の構成の例を説明する。図８に例示されるスイッチング回路４１は、トランジスタ４１６のスイッチング動作を利用して、ＬＥＤ５０を流れる電流を制御する。図８では、説明の便宜上、ＬＥＤ５０を模式的に図示するとともにスイッチング回路４１の入力端（ＰＦＣ回路３３との接続点）を、ノード４０２、４０３と称し図示する。ノード４０２の電位は、ノード４０３の電位よりも高い。スイッチング回路４１の出力端（ＬＥＤ５０との接続点）を、ノード４０４、４０５と称し図示する。ＬＥＤ５０は、ノード４０４、４０５間に接続される。ＬＥＤ５０の点灯時には、ノード４０４からノード４０５の方向に電流が流れる。
【００４９】
スイッチング回路４１は、ダイオード４１３と、コイル４１４と、コンデンサ４１５と、トランジスタ４１６（図８の例では電界効果トランジスタ（ＦＥＴ：Field Effect Transistor））と、抵抗器４１７とを含む。ダイオード４１３のアノードはコイル４１４の一端に接続され、カソードはノード４０２に（ノード４０４に）接続される。コイル４１４の他端はノード４０５に接続される。コンデンサ４１５の一端はノード４０４に接続され、他端はノード４０５に接続される。トランジスタ４１６の一方の電流端子（図８の例ではドレイン）は、ダイオード４１３のアノードとコイル４１４の一端との接続点に接続される。トランジスタ４１６の他方の電流端子（図８の例ではソース）は、抵抗器４１７を介してノード４０３に接続される。トランジスタ４１６の制御端子４１６ａ（図８の例ではゲート）には、ドライバ４２（図１参照）からの駆動信号が入力される。
【００５０】
トランジスタ４１６がオンのときには、電流がＬＥＤ５０、コイル４１４、トランジスタ４１６、及び、抵抗器４１７を流れる。トランジスタ４１６がオフのときには、コイル４１４に蓄えられたエネルギーが放出され、電流がコイル４１４、ダイオード４１３、ＬＥＤ５０を流れる。トランジスタ４１６のオン・オフが繰り返し実行されることで、トランジスタ４１６のスイッチング動作により制御された電流がＬＥＤ５０に供給される。また、トランジスタ４１６のオン・オフの時間を変えることで、ＬＥＤ５０を流れる電流の大きさが調整される（ＰＷＭ方式）。
【００５１】
図１に戻り、ＬＥＤ５０は、電力供給部４０の後段に設けられる。ＬＥＤ５０は、供給された電力を用いて点灯する。より具体的に、ＬＥＤ５０は、電力供給部４０から供給される電流を用いて点灯する。ＬＥＤ５０は、複数のＬＥＤを含むＬＥＤモジュールであってもよい。ＬＥＤモジュールにおいては、複数のＬＥＤが直列、並列、或いは、マトリックスに配置されていてよい。
【００５２】
検出部６０は、入力部１０の電圧（入力電圧）を検出する。入力電圧として、保護回路１１の出力端（ノード１２、１３間）の電圧が検出されてよい。入力電圧は時間変化を伴うので、検出部６０は、電圧の瞬時値でなく、電圧のピーク値或いは実効値を検出してもよい。図９は、検出部６０によって検出される電圧の例を示す図である。図９では、後述するようにＬＥＤランプ３が有する構成要素の状態（例えばインピーダンス調整部２０、電力供給部４０のモード）が変化した場合の電圧変化の例を図示している。図９に示されるグラフの横軸は時刻を示し、縦軸は電圧を示す。時刻ｔ１までは電圧が電圧Ｖ１で一定であり、時刻ｔ２以降では電圧が電圧Ｖ２で一定であるが、実際には入力電圧はより短い時間単位での変動を伴い得る。ただし、検出部６０によって検出される電圧がピーク値或いは実効値の場合には、図９に示されるように、そのような細かい電圧変動は検出されない。説明の便宜上、時刻ｔ１、ｔ２間の期間を期間Δｔと称し図示する。また、電圧Ｖ１、Ｖ２間の電圧差を電圧変動量ΔＶと称し図示する。さらに、期間Δｔでの電圧変化を示す直線の傾きを、角度αを用いて図示している。期間Δｔ、電圧変動量ΔＶ、及び、角度αに関しては、後に改めて説明する。なお、検出部６０による電圧検出には、種々の公知の手法を採用することができるので、ここでは詳細な説明は省略する。
【００５３】
図１に戻り、検出部６０は、入力電圧の波形を検出してもよい。波形の検出は、入力電圧の波形が矩形（入力電圧が矩形波）であるか否かの検出を含む。図１０は、検出部６０によって検出される電圧波形の例を示す図である。図１０の（ａ）は、矩形波の例を示す。例えば、安定器２が電子式安定器の場合には、図１０の（ａ）に示されるような交流の波形の電圧が入力部１０に入力される。図１０の（ｂ）は、矩形波でない電圧の例（ここでは正弦波）を示す。例えば、安定器２が磁気式の安定器の場合には、図１０の（ｂ）に示されるような交流の波形の電圧が入力部１０に入力される。
【００５４】
矩形波であるか否かの検出の手法は限定されないが、例えば次のような手法が用いられてよい。すなわち、図１０の（ａ）に示されるような矩形波は、図１０の（ｂ）に示されるような正弦波と比較して、より高い周波数成分を有している。矩形波に観測されるような高周波成分が入力電圧に含まれているか否かを、検出部６０が検出してよい。例えば、ノード１２、１３（図１参照）の電圧を、図示しないハイパスフィルタを介して取り出すことで、そのような高周波成分の有無を検出できる。高周波成分が含まれている場合、検出部６０は、入力電圧の波形が矩形であると検出する。高周波成分が含まれていない場合、検出部６０は、入力電圧の波形が矩形でないと検出する。
【００５５】
図１に戻り、ＣＰＵ７０は、ＬＥＤランプ３の全体制御を行う。本実施形態では、特に、ＣＰＵ７０は、その機能ブロックとして、判断部７１と、制御部７２とを含む。判断部７１は、第１判断部７１ａ、第２判断部７１ｂ及び第３判断部７１ｃを含んでもよい。
【００５６】
判断部７１は、検出部６０の検出結果を用いて、入力部１０に、図２に示したグループＡ〜Ｄのいずれの安定器が接続されているか又は安定器を介さずに商用電力網等の電源に接続されているかを判断する。以下、判断部７１による判断を詳細に説明する。以下では、グループＤを第１グループとも称する。グループＣを第２グループとも称する。グループＡを第３グループとも称する。グループＢを第４グループとも称する。
【００５７】
［グループＤ（第１グループ）の判断］
グループＤには、例えば、調光無しの電子式安定器（分類８）、及び、調光有りの電子式安定器（分類９）が含まれる。判断部７１は、検出部６０により検出された入力電圧の波形が、上述した図１０の（ａ）に示される矩形、又は、矩形に近似した波形であるか否かを判断する。判断部７１（例えば第１判断部７１ａ）は、入力電圧の波形が矩形、又は、矩形に近似した波形である場合、設置されている安定器２により電子的な処理がされていると判断できるから、入力部１０に、グループＤ（調光無しの電子式安定器（分類８））、又は、調光有りの電子式安定器（分類９））の安定器が接続されていると判断する。判断部７１は、検出部６０により検出された入力電圧の波形が矩形、又は、矩形に近似した波形でない場合、安定器２が磁気式の安定器であると判断してもよい。
【００５８】
［グループＣ（第２グループ）の判断］
グループＣには、例えば、直列２灯形安定器（分類５）が含まれる。判断部７１は、電力供給部４０が電力可変モードと定電力モードとを切り替えたときに、入力部１０の電圧が所定の閾値よりも大きく変化するか否かを判断する。判断部７１（例えば第２判断部７１ｂ）は、電力可変モードと定電力モードとを切り替えたときに、入力部１０の電圧が所定の閾値よりも大きく変化した場合、グループＣ（直列２灯形安定器（分類５））であると判断する。直列２灯形安定器は直列に接続された２つのランプを点灯させるようになっているので、電力供給部４０が電力可変モードと定電力モードとを切り替えたときに、入力部１０の電圧が所定の閾値よりも大きく変化するためである。例えば、切り替えにより電圧が約２倍になったり或いは約２分の１になったりした場合、所定値よりも大きく変化したと判断できる。
【００５９】
ここで、再び図９を参照して、入力電圧の変化が所定の閾値より大きいか否かの判断の一例として、上記入力電圧の変化が急峻であるか否かの判断手法の例を説明する。時刻ｔ１における電圧がＶ１であり、時刻ｔ２における電圧がＶ２であるので、時刻ｔ１、ｔ２間の電圧変化量ΔＶは、ΔＶ＝Ｖ２−Ｖ１である。この電圧変化量ΔＶが所定の閾値以上である場合に、検出部６０は、電圧の変化が急峻であると判断してよい。電圧変化量ΔＶが所定の閾値未満である場合に、検出部６０は、電圧の変化が急峻でないと判断してよい。
【００６０】
また、時刻ｔ１、ｔ２間の期間Δｔを、電圧の変化が急峻であるか否かの判断に用いてもよい。図９に示される角度αを用いると、電圧変化量ΔＶと期間Δｔとの間には、ｔａｎ（α）＝（ΔＶ／Δｔ）の関係が成立する。角度αについて整理すると、α＝ａｒｃｔａｎ（ΔＶ／Δｔ）となる。検出部６０は、期間Δｔ及び電圧変化量ΔＶを検出し、角度αを算出してもよい。角度αが所定の閾値以上である場合に、検出部６０は、電圧の変化が急峻であると判断してよい。角度αが所定の閾値未満である場合に、検出部６０は、電圧の変化が急峻でないと判断してよい。
【００６１】
上述の判断に必要な各種の処理は、検出部６０及びＣＰＵ７０の協働によって実現されてもよい。例えば、期間Δｔの検出には、ＣＰＵ７０が備え得るタイマー機能が利用されてよい。なお、図９に例示されるように時刻ｔ１から時刻ｔ２にかけて電圧が上昇する場合とは逆に、電圧が低下する場合についても同様の説明が可能であるので、ここでは説明を省略する。なお、図９に示した電圧は、検出部６０で検出された瞬時値の電圧であってもよいし、実効値であってもよいし、最大値、最小値、平均値等であってもよい。
【００６２】
［グループＡ及びＢ（第３グループ及び第４グループ）並びに安定器無し（ＡＣ直結）の判断］
グループＡには、低力率の一般形安定器（分類１）、高力率の一般形安定器（分類２）、低始動電流形安定器（分類３）、及び、調光有りの高力率一般形安定器（分類６）が含まれる。グループＢには、調光無しの定電力形安定器（分類４）、及び、調光有りの定電力形安定器（分類７）が含まれる。判断部７１（例えば第３判断部７１ｃ）は、インピーダンス調整部２０が第１インピーダンスモードであるときに検出部６０で検出される入力電圧が、インピーダンス調整部２０が第２インピーダンスモードであるときに検出部６０で検出される入力電圧よりも小さくなったか否かを判断する。
【００６３】
本実施形態において、判断部７１は、第１インピーダンスモードにしたときの入力電圧が、第２インピーダンスモードにしたときの入力電圧よりも小さくなったとき、入力部１０に、グループＡ（低力率の一般形安定器（分類１）、高力率の一般形安定器（分類２）、低始動電流形安定器（分類３）、又は、調光有りの高力率一般形安定器（分類６））の安定器が接続されていると判断する。すなわち、判断部７１は、安定器２が第３グループであると判断する。
【００６４】
本実施形態において、判断部７１は、第１インピーダンスモードにしたときの入力電圧が、第２インピーダンスモードにしたときの入力電圧よりも小さくなっていないとき、入力部１０に、グループＢ（調光無しの定電力形安定器（分類４）、及び、調光有りの定電力形安定器（分類７））の安定器が接続されている又は商用電力網等の電源が接続されていると判断する。すなわち、判断部７１は、安定器２が第４グループであるか安定器が無い（ＡＣ直結）と判断する。
【００６５】
例えば、所定の閾値（例えば、９０％）を用いて、第１インピーダンスモードにしたときの入力電圧が、第２インピーダンスモードにしたときの入力電圧の９０％未満になったとき、安定器２がグループＡであると判断し、入力電圧の９０％未満になっていないとき、安定器２がグループＢであるか安定器が無いと判断してもよい。なお、以下説明の便宜のため、第１インピーダンスモードと第２インピーダンスモードの切り替えによって、上記のように、安定器２が第４グループであるか安定器が無い（ＡＣ直結）と判断する場合、上記切り替えにより安定器の種類を判断すると称する場合もある。
【００６６】
制御部７２は、判断部７１の判断結果に応じてＬＥＤ５０を点灯させる制御を行う。制御部７２によるＬＥＤ５０の点灯制御は、前述した各モード、すなわち、インピーダンス調整部２０の第１〜第３インピーダンスモード、並びに、電力供給部４０の電力可変モード及び定電力モードを組み合わせることによって行われてよい。以下、具体的に説明する。
【００６７】
［グループＤ（第１グループ）の場合の点灯制御］
上述のように、グループＤには、例えば、調光無しの電子式安定器（分類８）、及び、調光有りの電子式安定器（分類９）が含まれる。安定器２がグループＤの電子式安定器であると判断された場合、制御部７２はインピーダンス調整部２０を第３インピーダンスモードに切り替え、入力部１０からインピーダンス調整部２０を見たリアクタンス成分を第３の値とする。これにより、安定器２からＬＥＤランプ３を見たインピーダンスが、グループＤの安定器にとって最適な負荷インピーダンスに近づくため、インピーダンス調整部２０を見たリアクタンス成分を第１、第２の値とした場合と比較して、安定器２から入力部１０への電力供給効率が高められ、安定器２内の電力ロスが低減され、ＬＥＤ５０を効率よく点灯させることができる。
【００６８】
グループＤの安定器であると判断された場合、制御部７２は、電力供給部４０を電力可変モードでも、定電力モードでも制御できる。本実施形態では、ＬＥＤ５０の点灯制御をより容易にするため、電力供給部４０を定電力モードで制御している。
【００６９】
［グループＣ（第２グループ）の場合の点灯制御］
上述のように、グループＣには、例えば、直列２灯形安定器（分類５）が含まれる。安定器２がグループＣの安定器であると判断された場合、制御部７２はインピーダンス調整部２０を第２インピーダンスモードに切り替え、入力部１０からインピーダンス調整部２０を見たリアクタンス成分を第２の値とする。これにより、安定器２からＬＥＤランプ３を見たインピーダンスが、グループＣの安定器にとって最適な負荷インピーダンスに近づき、ＬＥＤを効率よく点灯させることができる。
【００７０】
グループＣの安定器であると判断された場合、制御部７２は、電力供給部４０を電力可変モードで制御する。定電力モードよりも好適な制御を実現できるからである。
【００７１】
［グループＡ及びＢ（第３グループ及び第４グループ）並びに安定器無し（ＡＣ直結）の場合の点灯制御］
上述のように、グループＡには、低力率の一般形安定器（分類１）、高力率の一般形安定器（分類２）、低始動電流形安定器（分類３）、及び、調光有りの高力率一般形安定器（分類６）が含まれる。安定器２がグループＡの安定器であると判断された場合、制御部７２は、インピーダンス調整部２０を第２又は第３インピーダンスモードに切り替え、入力部１０からインピーダンス調整部２０を見たリアクタンス成分を第２の値又は第３の値とする。これにより、安定器２からＬＥＤランプ３を見たインピーダンスが、グループＡの安定器にとって最適な負荷インピーダンスに近づきＬＥＤを効率よく点灯させることができる。
【００７２】
グループＡの安定器であると判断された場合、制御部７２は、電力供給部４０を電力可変モードでも、定電力モードでも制御できる。本実施形態では、ＬＥＤ５０の点灯制御をより容易にするため、電力供給部４０を定電力モードで制御している。
【００７３】
なお、インピーダンス調整部２０を第２インピーダンスモードにするよりもインピーダンス調整部２０を第３インピーダンスモードにする方がより好ましい。リアクタンス成分が存在しないよりも、所定のリアクタンス成分（例えばインダクタンス成分）を有する方が力率が向上し、より好適な制御が可能だからである。
【００７４】
グループＢには、調光無しの定電力形安定器（分類４）、及び、調光有りの定電力形安定器（分類７）が含まれる。安定器２がグループＢの安定器であると判断された場合、又は安定器を有しない（ＡＣ直結）と判断された場合、制御部７２は、インピーダンス調整部２０を第２インピーダンスモードに切り替え、入力部１０からインピーダンス調整部２０を見たリアクタンス成分を第２の値とする。これにより、安定器２からＬＥＤランプ３を見たインピーダンスが、グループＢの安定器にとって又は安定器が無い場合において最適な負荷インピーダンスに近づきＬＥＤを効率よく点灯させることができる。
【００７５】
グループＢの安定器であると判断された場合、制御部７２は、電力供給部４０を電力可変モードでも、定電力モードでも制御できる。本実施形態では、安定器を有しない場合（分類１０）の制御をより好適にするため電力供給部４０を定電力モードで制御している。
【００７６】
図１１は、ＬＥＤランプ３において実行される処理（ＬＥＤランプ３の点灯制御方法）の例を示すフローチャートである。以下、図１１を用いて、ＬＥＤランプ３において実行される処理を詳細に説明する。図１１に示したフローチャートの処理は、例えば、ＬＥＤランプ３の点灯開始時（ユーザにより点灯スイッチがＯＮされたとき）に実行される。なお、検出部６０による検出は、フローチャートの各ステップの処理が実行されている間、適時行われてよい。
【００７７】
ステップＳ１において、制御部７２は、ＬＥＤランプ３を初期状態にセットする。例えば、制御部７２は、インピーダンス調整部２０を第２インピーダンスモードにセットする。これにより、入力部１０からインピーダンス調整部２０を見たリアクタンスは、第２の値に調整される。また、制御部７２は、電力供給部４０を電力可変モードにセットする。なお、インピーダンス調整部２０が第２インピーダンスモード以外のモード（第１又は第３インピーダンスモード）になっている場合、インピーダンス調整部２０を第２インピーダンスモードにセットすることは、インピーダンス調整部２０を第２インピーダンスモードに切り替えることを含む。他のモードについても同様である。
【００７８】
ステップＳ２において、上述したグループＤの判断を行う。上述したように、判断部７１は、検出部６０により検出された入力電圧の波形が矩形に近似した波形である場合（ステップＳ２：ＹＥＳ）、設置されている安定器２がグループＤ（調光無しの電子式安定器（分類８）、又は、調光有りの電子式安定器（分類９））であると判断し、ステップＳ３に処理が進められる。入力電圧波形が矩形に近似した波形でない場合（ステップＳ２：ＮＯ）、ステップＳ４に処理が進められる。
【００７９】
判断部７１により設置されている安定器２がグループＤ（電子式安定器）であると判断された場合、ステップＳ３に進み、電子式安定器用の点灯制御が行われる。具体的には、制御部７２は、インピーダンス調整部２０を第３インピーダンスモードに設定するとともに、電力供給部４０を電力可変モード又は定電力モード（好ましくは定電力モード）に切り替える。その結果、インピーダンス調整部２０及び電力供給部４０が電子式安定器用のモードに調整されるので、安定器２から入力部１０への電力供給効率が改善され、又は、安定器２内の電力ロスが低減され、電子式安定器に応じた好適なＬＥＤ５０の点灯制御が行われる。ステップＳ３の処理の完了後は、フローチャートの処理が終了する。
【００８０】
判断部７１により設置されている安定器２がグループＤ（電子式安定器）であると判断されない場合、ステップＳ４に進む。ステップＳ４において、制御部７２は電力供給部４０を定電力モードに切り替える。これにより、電力供給部４０は、定電力モードで一定の電力の供給を開始する。
【００８１】
次に、ステップＳ５において、判断部７１は、上述したグループＣの判断を行う。具体的には、判断部７１は、入力部１０の電圧が所定の閾値よりも大きく変化した場合、グループＣ（直列２灯形安定器（分類５））であると判断（ステップＳ５：ＹＥＳ）し、ステップＳ６に進む。所定の閾値よりも大きく変化しない場合（ステップＳ５：ＮＯ）、ステップＳ７に進む。
【００８２】
判断部７１により設置されている安定器２がグループＣ（直列２灯形安定器）であると判断された場合、ステップＳ６に進み、直列２灯形安定器用の点灯制御が行われる。ステップＳ６において、制御部７２は、インピーダンス調整部２０を第２インピーダンスモードに設定（先のステップＳ１にて切り替え済み）する。また、制御部７２は、ＬＥＤを好適に点灯させるために電力供給部４０を電力可変モードに設定する。ステップＳ６の処理の完了後は、フローチャートの処理が終了する。
【００８３】
ステップＳ７において、制御部７２は、ＬＥＤ５０の消費電力を増大させ、電力供給部４０を電力可変モードにセットする。これにより、入力部１０からＬＥＤ５０に至る電力経路上の電力が増大し得る。ＬＥＤの消費電力が増大した分だけ検出部６０によって検出される入力電圧の変化が顕在化するので、後述のステップＳ９の判断が容易になる。
【００８４】
ステップＳ８において、制御部７２は、インピーダンス調整部２０を第２インピーダンスモード（先のステップＳ１にて切り替え済み）から第１インピーダンスモードに切り替え、ステップＳ９に進む。
【００８５】
ステップＳ９において、上述したグループＡ及びＢ並びに安定器無しの判断を行う。上述したように、判断部７１は、第１インピーダンスモードにしたときの入力電圧が、第２インピーダンスモードにしたときの入力電圧よりも低下したとき、設置されている安定器２がグループＡであると判断（ステップＳ９：ＹＥＳ）し、ステップＳ１０に進む。第１インピーダンスモードにしたときの入力電圧が、第２インピーダンスモードにしたときの入力電圧よりも低下しなかったとき、入力部１０に、グループＢの安定器が接続されているか安定器が無いと判断（ステップＳ９：ＮＯ）し、ステップＳ１１に進む。なお、ステップＳ９の処理が完了した後は、先のステップＳ７で増大されたＬＥＤ５０の消費電力が元に戻されてよい。
【００８６】
ステップＳ１０において、一般形安定器用又は低始動電流形安定器用の点灯制御が行われる。制御部７２は、インピーダンス調整部２０を第２又は第３インピーダンスモード（好ましくは第３インピーダンスモード）に設定するとともに、電力供給部４０を定電力モード又は電力可変モード（好ましくは定電力モード）に設定する。
【００８７】
ステップＳ１１において、定電力形安定器用又は安定器無しの場合の点灯制御が行われる。制御部７２は、インピーダンス調整部２０を第２インピーダンスモードに設定するともに、電力供給部４０を定電力モード又は電力可変モード（好ましくは定電力モード）に設定する。ステップＳ１０、Ｓ１１の処理の完了後は、フローチャートの処理が終了する。
【００８８】
以上説明したフローチャートの処理は、一例に過ぎない。図１１のフローチャートでは、電力供給部４０が電力可変モードから定電力モードに切り替わったときの入力電圧変化に基づいて安定器２の特性を判断しているが（ステップＳ１、Ｓ４、及び、Ｓ５）、これとは逆に、電力供給部４０が定電力モードから電力可変モードに切り替わったときの入力電圧変化に基づいて安定器２の特性を判断してもよい。この場合、例えば、電力供給部４０は、ステップＳ１において定電力モードに切り替えられ、ステップＳ４において電力可変モードに切り替えられてもよい。判断部７１は、ステップＳ５において、入力電圧変化が閾値未満であるか否かを判断してもよい。この他にも、さまざまな変更が可能である。例えば、ステップＳ４以降の処理は、ステップＳ２よりも前に実行されてもよい。これにより、ステップＳ２及びＳ３にかかる処理負担が軽減され得る。安定器２が電子式安定器でないことが分かっている場合等に有用である。ステップＳ７以降の処理は、ステップＳ５よりも前に実行されてよい。これにより、ステップＳ５及びＳ６に係る処理負担が軽減され得る。安定器２が直列２灯形安定器でないことが分かっている場合等に有用である。また、ステップＳ７の処理は、省略（スキップ）されてもよい。
【００８９】
上記ＬＥＤランプ３は、ＬＥＤ５０と、入力部１０と、検出部６０と、電力供給部４０と、判断部７１と、制御部７２とを含む。ＬＥＤ５０は、供給された電力を用いて点灯する。入力部１０には、電圧が入力される。検出部６０は、入力部１０の電圧を検出する。電力供給部４０は、電力可変モード及び定電力モードの少なくとも一方に切り替えることができる。電力可変モードでは、電力供給部４０は、入力部１０の電圧に応じてＬＥＤ５０に供給する電力の大きさを変化させる。定電力モードでは、電力供給部４０は、入力部１０の電圧に応じてＬＥＤ５０に供給する電力の大きさを変化させない。判断部７１は、電力供給部４０が電力可変モードであるときに検出部６０により検出された検出結果と、電力供給部４０が定電力モードであるときに検出部６０により検出された検出結果とを用いて、入力部１０に接続されている安定器の種類を判断する（ステップＳ５）。制御部７２は、判断部７１の判断結果に応じてＬＥＤ５０を点灯させる制御を行う（ステップＳ６、Ｓ１０又はＳ１１）。
【００９０】
このように、ＬＥＤランプ３では、電力供給部４０の電力可変モード及び定電力モード間の切り替えを利用して入力部１０に接続されている安定器の種類（或いは安定器の有無）が判断され、判断された種類に応じてＬＥＤ５０を点灯させる制御が行われる。これにより、入力部１０に接続されている安定器２の特性に応じたＬＥＤ５０の点灯制御を行うことができる。したがって、ＨＩＤランプ用の安定器である安定器２を用いても、ＬＥＤランプ３を効率よく点灯させることが可能になる。例えば、既に設置されているＨＩＤランプ装置（ＨＩＤランプ及びＨＩＤランプ用安定器）において、ＨＩＤランプをＬＥＤランプ３に置き換えれば、ＨＩＤランプ用の安定器をそのまま活用して、ＬＥＤランプ３を効率よく点灯させることができる。既存のＨＩＤランプ用安定器を使用できるため、ＨＩＤランプをＬＥＤランプ３に容易に置き換えるとともに、置き換えの際のコストを低減できる。
【００９１】
電力供給部４０が電力可変モードであるときに検出部６０により検出された電圧と、電力供給部４０が定電力モードであるときに検出部により検出された電圧との差が所定の閾値以上であるとき（ステップＳ５：ＹＥＳ）、制御部７２は電力供給部４０を電力可変モードに切り替えてＬＥＤを点灯させてもよい（ステップＳ６）。これにより、安定器２が直列２灯形安定器の場合に、ＬＥＤランプ３を効率よく点灯させることができる。
【００９２】
一実施形態において、ＬＥＤランプ３は、ＬＥＤ５０と、入力部１０と、検出部６０と、インピーダンス調整部（リアクタンス調整部）２０と、判断部７１とを含んでいればよい。ＬＥＤ５０、入力部１０、及び検出部６０の機能は前述のとおりである。インピーダンス調整部２０は、第１インピーダンスモード（第１モード）及び第２インピーダンスモード（第２モード）の少なくとも一方に切り替えることができる。第１インピーダンスモードでは、入力部１０から見たリアクタンス成分が第１の値である。第２インピーダンスモードでは、入力部１０から見たリアクタンス成分が第２の値である。第２の値は、第１の値とは異なる。判断部７１は、インピーダンス調整部２０が第１インピーダンスモードであるときに検出部６０により検出された検出結果と、インピーダンス調整部２０が第２インピーダンスモードであるときに検出部６０により検出された検出結果とを用いて、入力部１０に接続されている安定器の種類を判断する（ステップＳ９）。制御部７２は、制御部７２の判断結果に応じてＬＥＤ５０を点灯させる制御を行う（ステップＳ１０又はＳ１１）。上記第１及び第２の値は、第２の値が第１の値と異なっており且つ入力部１０に接続されている安定器の種類を判断可能な値に設定されていればよい。
【００９３】
このように、ＬＥＤランプ３では、インピーダンス調整部２０の第１インピーダンスモード及び第２インピーダンスモード間の切り替えを利用して入力部１０に接続されている安定器の種類が判断され、判断された種類に応じてＬＥＤ５０を点灯させる制御が行われる。これにより、入力部１０に接続されている安定器２の特性に応じたＬＥＤ５０の点灯制御を行うことができるようになる。したがって、ＨＩＤランプ用の安定器である安定器２を用いても、ＬＥＤランプを効率よく点灯させるが可能になる。
【００９４】
判断部７１は、入力部１０に入力される電圧の波形が矩形であるか否かに応じて、入力部１０に接続されている安定器２の種類を判断してよい（ステップＳ２）。このように、入力電圧波形に基づいて安定器２の種類を判断することもできる。
【００９５】
制御部７２は、ＬＥＤ５０の消費電力を増大させてもよい（ステップＳ７）。これにより、ＬＥＤ５０の消費電力が増大した分だけ入力部１０の電圧が大きくなり、その変化も顕在化する。その結果、例えば、インピーダンス調整部２０が第１インピーダンスモードであるときに検出部６０により検出された電圧と、インピーダンス調整部２０が第２インピーダンスモードであるときに検出部６０により検出された電圧との比較判断（ステップＳ９）が行いやすくなる。
【００９６】
一実施形態において、上記ＬＥＤランプ３は、ＬＥＤ５０と、入力部１０と、検出部６０と、電力供給部４０と、インピーダンス調整部２０と、第１判断部７１ａと、第２判断部７１ｂと、第３判断部７１ｃとを含んでいればよい。ＬＥＤ５０、入力部１０、検出部６０、電力供給部４０及びインピーダンス調整部２０の機能は前述のとおりである。第１判断部７１ａは、検出部６０で検出された電圧の波形に基づいて入力部１０に第１グループ（グループＤ）の安定器が接続されているか否かを判断する（ステップＳ２）。第２判断部７１ｂは、第１判断部７１ａにより前述した第１グループの安定器２が接続されていると判断されないとき（ステップＳ２：ＮＯ）、電力供給部４０が電力可変モードであるときに検出部６０により検出された検出結果と、電力供給部４０が定電力モードであるときに検出部６０により検出された検出結果とを用いて入力部１０に第２グループ（グループＣ）の安定器が接続されているか否かを判断する（ステップＳ５）。第３判断部７１ｃは、第２判断部７１ｂにより第２グループの安定器２が接続されていると判断されないとき（ステップＳ５：ＮＯ）、インピーダンス調整部２０が第１インピーダンスモードであるときに検出部６０により検出された検出結果と、インピーダンス調整部２０が第２インピーダンスモードであるときに検出部６０により検出された検出結果とを用いて、入力部１０に第３グループ（グループＡ）の安定器２が接続されているか否かを判断する。第３判断部７１ｃは、さらに、第３グループ（グループＡ）でない場合には、入力部１０に第４グループ（グループＢ）の安定器が接続されている又は商用電力網等の電源が接続されていると判断してもよい（ステップＳ９）。これにより、ＬＥＤランプ３は、入力部１０に第１〜第４グループのいずれに属する安定器が接続されているか又は商用電力網等の電源が接続されているかを判断するので、第１〜第４グループの安定器２又は安定器の無い場合に応じてＬＥＤランプ３を点灯可能である（ステップＳ３、Ｓ６、Ｓ１０及びＳ１１）。
【００９７】
ＬＥＤランプ３が制御部７２をさらに備える実施形態では、制御部７２は、第１判断部７１ａ、第２判断部７１ｂ又は第３判断部７１ｃの判断結果に応じて、ＬＥＤ５０を点灯させる際にインピーダンス調整部２０を制御してよい。例えばこのようにインピーダンス調整部２０を制御することで、ＬＥＤランプ３を好適に点灯させることができる。
【００９８】
例えば、制御部７２は、第１判断部７１ａにより入力部１０に第１グループの安定器が接続されていると判断された場合（ステップＳ２：ＹＥＳ）、第２判断部７１ｂにより入力部１０に第２グループの安定器が接続されていると判断された場合（ステップＳ５：ＹＥＳ）よりも、インピーダンス調整部２０のリアクタンス成分が大きくなるようにインピーダンス調整部２０を制御してよい（ステップＳ３）。例えばこのようにインピーダンス調整部２０を制御することで、ＬＥＤランプ３を好適に点灯させることができる。
【００９９】
インピーダンス調整部２０は、高電位の入力端子であるノード１２（第１端子）と、低電位の入力端子であるノード１３（第２端子）と、高電位の出力端子であるノード２２（第３端子）と、低電位の出力端子であるノード２３（第４端子）とを有し、第１インピーダンスモードであるとき、第２インピーダンスモードであるときと比較して、ノード１２−ノード２２間、又は、ノード１３−ノード２３間のリアクタンス成分が大きくなってよい。例えばこのような構成によって、インピーダンス調整部２０のリアクタンス成分を調整することができる。
【０１００】
インピーダンス調整部２０は、第２インピーダンスモードから第１インピーダンスモードに変化するとき、インピーダンス調整部２０のノード１２−ノード２２間にはコイル要素（例えば図７に示されるコイルＬ２０）が追加されてよい。例えばこのようにして、第１インピーダンスモード及び第２インピーダンスモードにおけるリアクタンス成分を調整することができる。
【０１０１】
以上、本発明の実施形態について説明したが、本発明は上記実施形態に限定されるものではない。例えば、インピーダンス調整部２０は、図７に示した構成に限定されず、入力部から見たリアクタンス成分が第１の値、第１の値とは異なる第２の値、及び、第１の値及び第２の値とは異なる第３の値を取り得る構成とすることが好ましい。図７に示したインピーダンス調整部２０はインダクタンス成分を直列に有する、有さない（バイパスする）、又は、並列に有するように切り替わる構成となっているが、インピーダンス調整部は、上述の第１〜第３の値に対応して、キャパシタンス成分を直列に有する、有さない（バイパスする）、又は、並列に有するように切り替わってもよい。このようなキャパシタンス成分を利用した切り替えによっても、これまで説明したような判断部７１による判断、及び、制御部７２による制御を行えることを、当業者は理解するであろう。インピーダンス調整部２０は、入力部１０から見たリアクタンス成分が、少なくとも第１及び第２の値を取り得る構成を備えていればよい。
【０１０２】
例えば、図７に示したコイルＬ２１、コイルＬ２２、コイルＬ２３のそれぞれを図示しないコンデンサＣ２１、コンデンサＣ２２、コンデンサＣ２３に置き換えても良い。また、図７に示したコイルＬ２１、コイルＬ２２、コイルＬ２３の少なくとも１つをコンデンサに置き換えても良い。また、図７に示したコイルＬ２１、コイルＬ２２、コイルＬ２３のそれぞれの少なくとも１つにコンデンサや抵抗を追加してもよい。
【０１０３】
別の変形実施形態として、インピーダンス調整部２０の接続態様を変更しても良い。例えば、図７に示したノード１２をノード１３に変更し、図７に示したノード１３をノード１２に変更し、図７に示したノード２２をノード２３に変更し、図７に示したノード２３をノード２２に変更してもよい。このようなノード位置の変更を行うとともに上述したコイルＬ２１、コイルＬ２２、コイルＬ２３をコンデンサに置き換える変更等を行っても良い。上述した実施形態と同様の作用効果が得られるからである。
【０１０４】
フィルタ回路３１（図１参照）は、例えば制御部７２が開閉制御可能な図示しないリレーによって、バイパス可能に構成されていてもよい。フィルタ回路３１がバイパスされる場合は、インピーダンス調整部２０（ノード２２及びノード２３）と、整流回路３２とが直接接続されることになる。例えば、制御部７２は、基本的にはフィルタ回路３１をバイパスさせておき、調光無しの定電力形安定器又はＡＣ直結形用の点灯制御（図１１のステップＳ１１）を行うときにのみ、インダクタンス成分（例えばフィルタ回路３１に含まれる）がインピーダンス調整部２０と整流回路３２との間に設けられるようにしてもよい。先に説明したように、安定器２がＡＣ直結形又は調光無しの定電力形安定器である場合に、フィルタ回路３１によるノイズ除去が特に有用だからである。それ以外の場合にはフィルタ回路３１がバイパスされるので、例えばフィルタ回路３１の挿入損失を回避することができる。
【０１０５】
また、ＬＥＤランプ３は、以下に例示するように、さまざまな異常を検出し、それに対応した制御を行うように構成されていてもよい。
【０１０６】
［ＬＥＤ電流値の監視］
ＬＥＤランプ３において、ＬＥＤ５０を流れる電流が正常範囲内か否かが監視されてよい。この確認は、判断部７１が、電流検出部４３により検出された電流値が所定の範囲内であるか否かを判断することによって行われてよい。電流値が正常範囲内でない場合、制御部７２は、ＬＥＤ５０の消費電力が最小となるように、電力供給部４０を制御してよい。これにより、ＬＥＤ５０の輝度が低下させて（ＬＥＤランプ３を暗くして）、ユーザに、ＬＥＤランプ３に異常が発生していることを知らせることができる。
【０１０７】
［ファン回転数の監視］
ＬＥＤランプ３は、発熱要素（例えばＬＥＤ５０等）を冷却するための図示しないファンを備えていてよい。この場合、ＬＥＤランプ３において、ファンの回転数が一定以上であるか否かが監視されてよい。この監視は、例えば、判断部７１がファンの回転数に関する情報を取得して行ってよい。ファンの回転数が一定以上でない場合（ファンが故障等している可能性がある場合）、制御部７２は、ＬＥＤ５０の消費電力が最小となるように、電力供給部４０を制御してよい。
【０１０８】
［バリスタの監視］
先に説明したように、保護回路１１はバリスタ及びヒューズを含む。検出部６０によって、バリスタの状態が確認されてよい。例えば、検出部６０は、保護回路１１内のヒューズが切れていないときに発光（ＯＮ）するように設けられたフォトカプラの発光状態が検出可能に構成されていてよい。ヒューズは、バリスタの発熱によって切れるようになっている。検出部６０は、フォトカプラの発光が停止したこと（ＯＦＦになったこと）に応じて、バリスタの異常状態を検出する。或いは、検出部６０は、バリスタの状態に応じたＦＢ電圧（バリスタ正常時は例えば０Ｖ）が検出可能に構成されていてよい。検出部６０は、ＦＢ電圧が所定の閾値以上の場合に、バリスタが異常であると検出してよい。検出部６０によりバリスタの異常が検出された場合、制御部７２は、ＬＥＤ５０の消費電力が最小となるように、電力供給部４０を制御してよい。
【０１０９】
［リレーの監視］
ＬＥＤランプ３におけるリレーが監視されてもよい。リレーの例は、保護回路１１内の図示しないリレー、及び、図７に示したインピーダンス調整部２０内のリレーである。この監視は、例えば、判断部７１が各リレーの開閉状態に関する情報を取得し、制御部７２による制御に従った状態（想定している状態）との整合性を判断して行ってよい。この判断は、例えば判断部７１が行ってよい。整合していない場合、制御部７２は、ＬＥＤ５０の消費電力が最小となるように電力供給部４０を制御してよい。
【０１１０】
本発明は、上記実施形態に限定されるものではない。例えば、インピーダンス調整部２０は、コイルＬ２０、リレー２０３〜２０６以外に、コンデンサ、抵抗、コイル、スイッチング素子等を含んでいてもよい。
【０１１１】
また、インピーダンス調整部２０は、例えば、ＨＩＤランプとＬＥＤランプの負荷状態の違いを補正する模擬負荷回路として用いられてよい。
【符号の説明】
【０１１２】
１…照明装置、２…安定器、３…ＬＥＤランプ、１０…入力部、２０…インピーダンス調整部（リアクタンス調整部）、４０…電力供給部、５０…ＬＥＤ、６０…検出部、７１…判断部、７１ａ…第１判断部、７１ｂ…第２判断部、７１ｃ…第３判断部、７２…制御部、Ｌ２０…コイル（コイル要素）。
【図１】
2019145411.tif 000003
【図２】
2019145411.tif 000004
【図３】
2019145411.tif 000005
【図４】
2019145411.tif 000006
【図５】
2019145411.tif 000007
【図６】
2019145411.tif 000008
【図７】
2019145411.tif 000009
【図８】
2019145411.tif 000010
【図９】
2019145411.tif 000011
【図１０】
2019145411.tif 000012
【図１１】
2019145411.tif 000013